(57)【特許請求の範囲】
【請求項１】
通信相手の宛先を有する個人情報が、複数の通信相手分、登録されている登録手段（７ｂ）と、
前記登録手段に登録された各宛先のうち、指定の宛先に基づいて発信できる発信手段と、
前記登録手段に登録された各個人情報のうち、任意の二人の個人情報に基づいて、前記任意の二人の個人の関係を占った結果を通知する占い手段（３５０、３６０）と、
前記登録された各個人情報のうち、前記任意の二人の個人情報をランダムに選択する選択手段（３２０）とを有することを特徴とする携帯電話。
【請求項２】
通信相手の宛先を有する個人情報と、利用者の個人情報とが登録されている登録手段（７ｂ）と、
前記登録手段に登録された通信相手の宛先に基づいて発信できる発信手段と、
前記登録手段に登録された通信相手の個人情報と前記利用者の個人情報に基づいて、前記通信相手と前記利用者との関係を占った結果を通知する占い手段（２５０、２６０）とを有し、
前記登録手段には、前記通信相手の宛先を有する個人情報が、複数の通信相手分、登録されており、
さらに、前記登録手段に登録された複数の通信相手の個人情報のうち、任意の一人の通信相手の個人情報をランダムに選択する選択手段（２２０）を有し、
前記占い手段は、前記選択された任意の一人の通信相手と前記利用者との関係を占った結果を通知することを特徴とする携帯電話。
【請求項３】
利用者の個人情報が登録されているとともに、通信相手の宛先を有する個人情報が、複数の通信相手分、登録されている登録手段（７ｂ）と、
前記登録手段に登録された各宛先のうち、指定の宛先に基づいて発信できる発信手段と、
前記登録された各通信相手の個人情報のうち任意の二人の通信相手の個人情報に基づいて前記二人の関係を占う第１の占い手段（３５０）と、
前記登録された各通信相手の個人情報のうち任意の一人の通信相手の個人情報と前記利用者の個人情報とに基づいて、前記任意の一人の通信相手と前記利用者との関係を占う第２の占い手段（２５０）と、
前記第１及び第２の手段のうちいずれか一方の占い手段を前記利用者の指示に基づいて選択し、前記選択された一方の占い手段により占われた結果を通知する通知手段（２６０、３６０）とを有することを特徴とする携帯電話。
【発明の詳細な説明】
【０００１】
【発明の属する技術分野】
本発明は、二人の関係を占う機能を有する携帯電話に関する。
【０００２】
【従来の技術】
従来、携帯電話では、操作部の操作によって二人の誕生日を入力すると、二人の誕生日に基づいて二人の相性を占って、この占い結果を表示パネルに表示させるものがある。
【０００３】
【発明が解決しようとする課題】
しかし、上述の携帯電話では、二人の相性を占う毎に、二人の誕生日を操作部の操作によって入力する必要があり、二人の相性を占う毎に二人の誕生日を入力することは、手間がかかり、面白みに欠ける。
【０００４】
本発明は、上記点に鑑み、二人の関係を占うにあたり、手間を省くようにした携帯電話を提供することを目的とする。
【０００５】
【課題を解決するための手段】
本発明は、上記目的を達成するために、請求項１に記載の発明では、通信相手の宛先を有する個人情報が、複数の通信相手分、登録されている登録手段（７ｂ）と、登録手段に登録された各宛先のうち、指定の宛先に基づいて発信できる発信手段と、登録手段に登録された各個人情報のうち、任意の二人の個人情報に基づいて、任意の二人の個人の関係を占った結果を通知する占い手段（３５０、３６０）とを有することを特徴とする。
【０００６】
請求項１に記載の発明では、上述の如く、個人情報が、複数の通信相手分、登録されている登録手段と、登録手段に登録された各宛先のうち指定の宛先に基づいて発信できる発信手段とが採用されるため、指定の宛先に発信する毎に指定の宛先を入力する手間を省き得る。このような登録手段の個人情報を利用するため、二人の通信相手の関係を占うにあたり、二人の通信相手の個人情報を入力する手間を省き得る。
【０００７】
さらに、請求項１に記載の発明のように、選択手段（３２０）が、登録された各個人情報のうち、任意の二人の個人情報をランダムに選択する為、面白みを増すことができる。
【０００８】
請求項２に記載の発明では、通信相手の宛先を有する個人情報と、利用者の個人情報とが登録されている登録手段（７ｂ）と、登録手段に登録された通信相手の宛先に基づいて発信できる発信手段と、登録手段に登録された通信相手の個人情報と利用者の個人情報に基づいて、通信相手と利用者との関係を占った結果を通知する占い手段（２５０、２６０）とを有することを特徴とする。
【０００９】
請求項２に記載の発明では、上述の如く、通信相手の宛先を有する個人情報が登録されている登録手段と、登録手段に登録された通信相手の宛先に基づいて発信できる発信手段とを採用されるため、請求項１に記載の発明と同様に、通信相手の宛先に発信する毎に通信相手の宛先を入力する手間を省き得る。このような登録手段の個人情報を利用するため、通信相手と利用者との関係を占うにあたり、通信相手の個人情報を入力する手間を省き得る。
【００１０】
さらに、請求項２に記載の発明では、登録手段には、通信相手の宛先を有する個人情報が、複数の通信相手分、登録されており、登録手段に登録された複数の通信相手の個人情報のうち、任意の一人の通信相手の個人情報をランダムに選択する選択手段（２２０）を有し、占い手段は、選択された任意の一人の通信相手と利用者との関係を占った結果を通知することを特徴とする。
【００１１】
これにより、任意の一人の通信相手は、選択手段によってランダムに選択されるため、面白みを増すことができる。
【００１２】
請求項３に記載の発明では、利用者の個人情報が登録されているとともに、通信相手の宛先を有する個人情報が、複数の通信相手分、登録されている登録手段（７ｂ）と、登録手段に登録された各宛先のうち、指定の宛先に基づいて発信できる発信手段と、登録された各通信相手の個人情報のうち任意の二人の通信相手の個人情報に基づいて二人の関係を占う第１の占い手段（３５０）と、登録された各通信相手の個人情報のうち任意の一人の通信相手の個人情報と利用者の個人情報とに基づいて、任意の一人の通信相手と利用者との関係を占う第２の占い手段（２５０）と、第１及び第２の手段のうちいずれか一方の占い手段を利用者の指示に基づいて選択し、選択された一方の占い手段により占われた結果を通知する通知手段（２６０、３６０）とを有することを特徴とする。
【００１３】
請求項３に記載の発明では、通信相手の宛先を有する個人情報が、複数の通信相手分、登録されている登録手段と、登録手段に登録された各宛先のうち、指定の宛先に基づいて発信できる発信手段とが採用されているため、請求項１、２に記載の発明と同様に、通信相手の宛先に発信する毎に通信相手の宛先を入力する手間を省き得る。このような登録手段の個人情報を利用して、第１及び２の占い手段を処理するため、第１及び２の占い手段の処理にあたり、通信相手の個人情報を入力する手間を省き得る。さらに、選択手段によれば、第１及び２の占い手段のうちいずれか一方の占い手段を、利用者の好みに合わせて選択できるため、面白みを増すことができる。
【００１４】
但し、本発明の携帯電話は、ＰＨＳをも含む移動通信端末である。
【００１５】
因みに、上記各手段の括弧内の符号は、後述する実施形態に記載の具体的手段との対応関係を示す一例である。
【００１６】
【発明の実施の形態】
図１に本発明に係る携帯電話の一実施形態を示す。図１は携帯電話の概略電気回路構成を示すブロック図である。携帯電話は、アンテナ１、無線部２、音声処理部３、マイク４、スピーカ５、ディスプレイ６、メモリ７、キー操作部８、及び、制御部９を有する。
【００１７】
無線部２は、制御部９に制御されて、送信信号をアンテナ１から出力させる一方、アンテナ１で受信された受信信号を受信する。音声処理部３は、制御部９に制御されて、送話信号を送信信号に変換する一方、受信信号を受話信号に変換する。マイク４は、利用者の送話を送話信号に変換し音声処理部３に出力する。スピーカ９は、音声処理部３からの受話信号を受話に変換する。ディスプレイ６は、制御部９に制御されて表示を行って、キー操作部８は、複数のキーを有する。メモリ７は、制御部９のコンピュータプログラムとともに、占いデータベース７ａ、及び、アドレス帳７ｂを有する。
【００１８】
ここで、占いデータベース７ａには、二人の関係の占いの情報（二人の相性を示す情報）が、二人の誕生日に対応付けられて保存されている。例えば、占いデータベース７ａでは、一方の人の誕生日を行とし、他の人の誕生日を列として、占いの情報が行列状に予め登録されている。アドレス帳７ｂは、ユーザメモリ７１及びメモリダイヤル７２を有する。ユーザメモリ７１には、利用者の各個人情報が保存されており、メモリダイヤル７２には、通話相手毎の個人情報が保存されている。また、制御部９は、通話処理に加えて、メモリダイヤル処理、占い処理を実行する。
【００１９】
ここで、本実施形態の作動の説明に先だって、アドレス帳７ｂについて図２（ａ）、（ｂ）を参照して説明する。図２（ａ）に示すように、アドレス帳７ｂのユーザメモリ７１には利用者名、利用者名の読み仮名、利用者の電話番号、利用者の誕生月日が予め保存されている。
【００２０】
また、アドレス帳７ｂのメモリダイヤル７２には、図２（ｂ）に示すように、通話相手の識別番号、通話相手名、通話相手名の読み仮名、通話相手の電話番号、及び、通話相手の誕生月日が、予め保存されている。
【００２１】
具体的には、メモリダイヤル７２としては、図２（ｂ）に示す構成が採用されている。図２（ｂ）において、識別番号「０」の場合、通話相手名「電装太郎」、通話相手名の読み仮名「デンソータロウ」、通話相手の電話番号「０９０１１１１１１１１」、及び、通話相手の誕生月日「一月一日」が登録されている。
【００２２】
識別番号「１」の場合、通話相手名「電装花子」、通話相手名の読み仮名「デンソーハナコ」、通話相手の電話番号「０９０１１１１１１１１」、及び、通話相手の誕生月日「一月一日」が登録されている。識別番号「ｎ」の場合、通話相手名「電装次郎」、通話相手名の読み仮名「デンソージロウ」、通話相手の電話番号「０９０９９９９９９９９９」、及び、通話相手の誕生月日「９月９日」が登録されている。なお、アドレス帳７ｂにおいて、名、名の読み仮名、電話番号、及び、誕生月日等は、キー操作部８に応じて入力されたものである。
【００２３】
ここで、メモリダイヤル処理（発信手段）について説明すると、キー操作部８の操作に応じて、メモリダイヤル７２に保存された各通話相手の電話番号のうちいずれか１つが選択してディスプレイ６に表示された状態で、キー操作部８の操作に応じて選択された通話相手の電話番号が確定されると、その確定された通話相手の電話番号を指定して発信を開始できる機能である。このように、通話相手の電話番号等の個人情報を予め保存することにより、その通話相手に発信する毎に電話番号をキー操作部８によりキー入力することなく発信できる。
【００２４】
以下、本実施形態の作動につき図３〜図５を参照して説明する。制御部９は、図３〜図５に示すフローチャートに従って占い処理を実行する。当該占い処理は、待ち受け中にて、キー操作部８の所定の入力にて開始する。
【００２５】
先ず、占いの診断方法を利用者に選択させる（ステップ１００）。具体的には、「▲１▼通話相手同士の関係の占い（メモリ２件の相性診断処理）▲２▼利用者と通話相手との関係の占い（ユーザとメモリの相性診断処理）」のうちいずれか１つを利用者に選択させる旨をディスプレイ６に表示させる。
【００２６】
次に、キー操作部８の操作に応じて「▲２▼利用者と通話相手との関係の占い」が選択されると、ステップ２００に進んで、後述する利用者と通話相手との相性診断処理を開始する。その一方、ステップ１００で、「▲１▼通話相手同士の関係の占い」がキー操作部８の操作に応じて選択されると、ステップ３００に進んで、通話相手同士の相性診断処理を開始する。
【００２７】
次に、ステップ２００、或いは、ステップ３００の処理が完了したか否かを判定し（ステップ４００）、当該処理が完了したとき、ステップ５００に進んで、後述する二人の名前と相性診断結果をディスプレイ６に表示させる。例えば、ディスプレイ６は、「○○さんと△△さんとの相性度１００％  二人は未来永劫幸せです」といった内容を表示する。なお、ステップ４００で、当該処理が未完了のとき、相性診断を終了する。
【００２８】
次に、利用者と通話相手との相性診断処理につき図４を参照して説明する。
【００２９】
先ず、アドレス帳７ｂのメモリダイヤル７２において、通話相手の誕生月日が一人分以上登録されているか否かを判定する（ステップ２１０）。ここで、通話相手の誕生月日が一人分以上登録されているとき、ステップ２２０に進んで、メモリダイヤル７２において、一人の通話相手をランダムに選択する。
【００３０】
次に、上記ランダムに選択された一人の通話相手の名前と誕生月日をアドレス帳７ｂのメモリダイヤル７２から呼出すとともに、アドレス帳７ｂのユーザメモリ７１から利用者の名前と誕生月日を呼出す（ステップ２３０）、この呼び出された一人の通話相手の誕生月日と利用者の誕生月日とが、暦の上で正常な日付であるか否かを判定する（ステップ２４０）。
【００３１】
次に、当該一人の通話相手の誕生月日と利用者の誕生月日が、暦の上で正常な日付であるとき、当該一人の通話相手の誕生月日と利用者の誕生月日に基づいて二人の関係を、相性診断として、占う（ステップ２５０、２６０）。すなわち、当該一人の通話相手の誕生月日と利用者の誕生月日とを占いデータベース７ａに照らし合わせて、当該一人の通話相手と利用者との関係を占われた結果（相性診断結果）を呼出す。
【００３２】
なお、ステップ２１０で、アドレス帳７ｂのメモリダイヤル７２において、登録されている通話相手の誕生月日が一人未満のとき、利用者と通話相手との相性診断処理を中断する。さらに、ステップ２４０で、当該一人の通話相手の誕生月日と利用者の誕生日とが、暦の上で正常な日付でないとき、利用者と通話相手との相性診断処理を中断する。
【００３３】
次に、通話相手同士の相性診断処理について図５を参照して説明する。
【００３４】
先ず、アドレス帳７ｂのメモリダイヤル７２において、通話相手の誕生月日が二人分以上登録されているか否かを判定する（ステップ３１０）。ここで、通話相手の誕生月日が二人分以上登録されているとき、ステップ３２０に進んで、メモリダイヤル７２において、二人の通話相手をランダムに選択する。
【００３５】
次に、上記ランダムに選択された二人の通話相手の名前と誕生月日をアドレス帳７ｂのメモリダイヤル７２から呼出す（ステップ３３０）。この呼び出された二人の通話相手の誕生月日が、暦の上で正常な日付であるか否かを判定する（ステップ３４０）。
【００３６】
次に、当該二人の通話相手の誕生月日が、暦の上で正常な日付であるとき、当該二人の通話相手の誕生月日に基づいて二人の関係を、相性診断として、占う（ステップ３５０、３６０）。すなわち、当該二人の通話相手の誕生月日を占いデータベース７ａに照らし合わせて、当該二人の通話相手の関係を占われた結果（相性診断結果）を呼出す。
【００３７】
なお、ステップ３１０で、アドレス帳７ｂのメモリダイヤル７２において、登録されている通話相手の誕生月日が二人未満のとき、利用者と通話相手との相性診断処理を中断する。さらに、ステップ３４０において、当該二人の通話相手の誕生月日が、暦の上で正常な日付でないとき、通話相手同士の相性診断処理を中断する。
【００３８】
以下、本実施形態の特徴につき述べる。通話相手への発信毎に電話番号をキー操作部８によりキー入力することなく、発信できるようにするためメモリダイヤル７２が採用されており、メモリダイヤル７２を利用して通話相手の誕生月日を呼び出して、占い処理毎に誕生日を入力することなく、占い処理を行うことができるため、通信相手の個人情報を入力する手間を省き得る。
【００３９】
また、上記実施形態では、二人の通話相手をメモリダイヤル７２からランダムに選んでその選ばれた二人の通話相手の関係を占う例について説明したが、これに限らず、二人の通話相手を利用者が、キー操作部８への操作によって、選択して、その選択された二人の通話相手の関係を占うようにしてもよい。
【００４０】
また、上記実施形態では、一人の通話相手をメモリダイヤル７２からランダムに選んでその選ばれた一人の通話相手と利用者との関係を占う例について説明したが、これに限らず、一人の通話相手を利用者が、キー操作部８への操作によって、選択して、その選択された一人の通話相手と利用者との関係を占うようにしてもよい。
【００４１】
なお、本実施形態では、誕生月日を基に占う処理について説明したが、これに限らず、個人情報であるならば、電話番号、名前等を基に占い処理を行うようにしてもよい。例えば、占いデータベース７ａには、二人の関係の占いの情報が、二人の電話番号に対応付けられて保存されるようにしてもよく、さらには、名前を文字コードに変換して、占いデータベース７ａには、二人の名前の文字コードに対応付けられて二人の関係の占いの情報が保存されるようにしてもよい。
【００４２】
さらに、上記実施形態では、「▲１▼通話相手同士の関係の占い▲２▼利用者と通話相手との関係の占い」のうちいずれか１つを利用者に選択させる例につき説明したが、これに限らず、▲１▼通話相手同士の関係の占いと▲２▼利用者と通話相手との関係の占いとのうち一方をランダムに選択して、このランダムに選択された一方の占いの結果を利用者に通知してもよい。
【図面の簡単な説明】
【図１】本発明の実施形態に係る携帯電話の電気回路構成を示すブロック図である。
【図２】図１に示すメモリのアドレスの構成を示す図である。
【図３】制御部の占い処理の一部を示すフローチャートである。
【図４】制御部の占い処理の残りを示すフローチャートである。
【図５】制御部の占い処理の残りを示すフローチャートである。
【符号の説明】
７ａ…占いデータベース、７１…ユーザメモリ、７２…メモリダイヤル、
９…制御部。
【図１】
0003685076.tif 000002
【図２】
0003685076.tif 000003
【図３】
0003685076.tif 000004
【図４】
0003685076.tif 000005
【図５】
0003685076.tif 000006